(57)【要約】【課題】被覆ケーブルの被覆剥離装置のケーブル保持部に取り付けて用いられ、被覆ケーブルを被覆剥離場所まで挿通、位置させる際に、そのケーブル保持部内において被覆ケーブルのスムーズな通過を可能にする被覆ケーブル用折り畳式ガイドを提供する。【解決手段】被覆ケーブルを前記被覆剥離場所まで挿通、位置させる際、前記ケーブル保持部内において被覆ケーブルのスムーズな通過を可能にする被覆ケーブルのガイドであって、ケーブル保持部の第一、第二板のスライドに追随して変形するとともに、前記ケーブル保持部が最大開口時に前後第一歯及び前後第二歯の前後間の段差を埋め、被覆ケーブルが第一、第二歯の側面にぶつからないようにすることを特徴とする被覆ケーブル用折り畳式ガイドの構成とした。【選択図】図６
2019037038.tif 000002
【特許請求の範囲】
【請求項１】
被覆ケーブルの被覆剥離箇所に連通した挿入穴を備える被覆ケーブルの被覆剥離装置の前記被覆剥離箇所と挿入穴との間に固定される被覆ケーブルの押さえであり、接近、遠ざかるスライド運動する第一、第二板と、前記第一、第二板の対向面のそれぞれ前後に配置され、接近することで被覆ケーブルを挟持する溝を備える前後一組の前後第一歯及びそれらに挿通する第一軸よりなる第一歯ユニット及び溝を備える前後一組の前後第二歯及びそれらに挿通する第二軸よりなる第二歯ユニットとからなり、前後一組の前記第一、第二歯ユニットをそれぞれ前記第一基台及び第一板、第二基台及び第二板に固定してなるケーブル保持部に組み込まれ、被覆ケーブルを前記被覆剥離場所まで挿通、位置させる際、前記ケーブル保持部内において被覆ケーブルのスムーズな通過を可能にする被覆ケーブルのガイドであって、
前記第一軸を通す穴を有し、前記前後第一歯間に位置する左右第一板と、
前記第二軸を通す穴を有し、前記前後第二歯間に位置する左右第二板と、
前記左第一板の他端部と前記左第二板の他端部に回動可能に連設する左側壁と、
前記右第一板の他端部と前記右第二板の他端部に回動可能に連設する右側壁と、
からなり、
前記第一、第二板のスライドに追随して変形するとともに、前記ケーブル保持部が最大開口時に前記前後第一歯及び前後第二歯の前後間の段差を埋め、被覆ケーブルが前記後第一、第二歯の側面にぶつからないようにすることを特徴とする被覆ケーブル用折り畳式ガイド。
【請求項２】
前記左第一板の他端部と前記左第二板の他端部に、前記左側壁が回動可能に連設する手段、及び、
前記右第一板の他端部と前記右第二板の他端部に、前記右側壁が回動可能に連設する手段が、
第三軸が、左第一、第二板の穴及び左側壁の上下の穴に、また右第一、第二板の穴及び右側壁の上下の穴に挿通する連設であることを特徴とする請求項１に記載の被覆ケーブル用折り畳式ガイド。
【請求項３】
前記左右第一板及び左右第二板が同じ形状であり、前記左右側壁が同じ形状であることを特徴とする請求項１に記載の被覆ケーブル用折り畳式ガイド。
【請求項４】
前記第一、第二歯ユニットが、最接近して噛合したときの高さ（Ｈｕ）と、前記左右側壁の高さが略同じ高さ（Ｈｗ）であることを特徴とする請求項１に記載の被覆ケーブル用折り畳式ガイド。
【発明の詳細な説明】
【技術分野】
【０００１】
本発明は、芯材を被覆した被覆ケーブルの被覆を回転する刃でカットして、芯材を露出させる、被覆ケーブルの被覆剥離装置のケーブル保持部に取り付けて用いられ、被覆ケーブルを被覆剥離場所まで挿通、位置させる際に、そのケーブル保持部内において被覆ケーブルのスムーズな通過を可能にする被覆ケーブル用折り畳式ガイドに関する。
【背景技術】
【０００２】
ここで、被覆ケーブルとは、各種芯材（導線、光ファイバ、被覆撚線など）の外周をゴム、プラスチックなどの絶縁被覆、金属薄などで被覆した、例えば電線、光ファイバケーブル、各種導電線などである。
【０００３】
被覆ケーブルの被覆を切断、剥離する装置として、出願人は、すでに、特許文献１の被覆ケーブルの被覆剥離装置１を開発している。
【０００４】
特許文献１に開示の発明は、図１−図３に示すように、Ｖ刃の欠点を解消し、回転する複数の刃の刃先で形成される内接円の径（被覆の切り込み深さ）を任意の大きさにデジタル制御可能な、被覆ケーブルの被覆装置であって、
被覆ケーブルを固定した上で、前記被覆ケーブルの長手方向と直交する同一平面に等間隔で配置した複数の刃を、前記被覆ケーブルの長手方向と平行な方向のデジタル制御による直動で前記被覆ケーブルの中心に向けスライドさせつつ回転させ、前記被覆ケーブルの被覆を前記刃の回転で輪切りに切断し、前記直動方向と逆向きに前記刃を後退させることで、切断された被覆を前記刃の刃先に係止して前記被覆ケーブルの長手方向に移動させ、前記被覆ケーブルの芯材を露出させる被覆ケーブルの被覆剥離装置であって、回転する前記刃の刃先で形成される内接円の径を前記直動で任意の大きさにデジタル制御することを特徴とする。詳しくは、必要に応じて、特許文献１を参照されたい。
【０００５】
被覆ケーブルの被覆を剥離させる場合、特許文献１でもそうであるが、一般には、挿入穴（１ｃ）に被覆ケーブルを挿入して被覆ケーブルを被覆剥離場所（回転刃）に位置させる（図３に示す被覆ケーブル６０の位置）。そして、挿入穴（１ｃ）は広範な太さの被覆ケーブルを処理できるよう、概ね大口径の被覆ケーブルに合わせてある。
【０００６】
また、被覆の剥離動作は、被覆を回転刃でカットして、切断された被覆を引っ張り芯材から離脱させる（特許文献１図１９等）。そのため、被覆ケーブルは引き込まれないよう、強く押さえられる必要がある。
【０００７】
そこで、従来は、図３に示すように、孔径、目的に応じ、ケーブル保持部５１を被覆ケーブルの押さえとして用いていた。噛合する歯で二箇所押さえることで、強い挟持力を発揮する。図５に、改めてケーブル保持部５１の詳細を示している。
【０００８】
ケーブル保持部５１は、図４に示すように、対面に配置されるスライド（実線両矢印）する第一押さえユニット２００ａと第二押さえユニット２００ｂからなる。
【０００９】
より詳しくは、被覆ケーブル６０ａの被覆剥離箇所に連通した挿入穴（１ｃ等）を備える被覆ケーブルの被覆剥離装置（１等）の被覆剥離箇所と挿入穴（１ｃ等）との間に固定され、被覆ケーブル６０ａを押さえるケーブル保持部５１であって、接近、遠ざかるスライド運動する第一、第二板２０３、２０３ａと、
第一、第二板２０３、２０３ａの対向面のそれぞれ前後に配置され、接近することで被覆ケーブル６０ａを挟持する、
溝２０４ｃを備える前後一組の前後第一歯２０４ａ、２０４ｂ及びそれらに挿通する第一軸２０６（ロールピン）よりなる第一歯ユニット２０７及び
溝２０５ｃを備える前後一組の前後第二歯２０５ａ、２０５ｂ及びそれらに挿通する第二軸２０６ａ（ロールピン）よりなる第二歯ユニット２０７ａとからなり、
前後一組の第一、第二歯ユニット２０７、２０７ａをそれぞれ第一基台２０１及び第一板２０３、第二基台２０１ａ及び第二板２０３ａに固定してなるその固定は、ロールピンである第一軸２０６、第二軸２０６ａを第一基台２０１と第一板２０３に嵌め、さらに前記ロールピンと穴２０１ｂを同軸とした穴にボルト（図示省略）を螺合して固定する。
【００１０】
第一押さえユニット２００ａは、第一基台２０１と、第一基台２０１に取り付け渦巻き形のカム（図示省略）内に接続する第一カムフォロア２０２と、第一基台２０１に直角に連設する第一板２０３と、第一基台２０１及び第一板２０３に配置、固定される第一歯ユニット２０７とからなり、渦巻き形のカムが回転することで、第一カムフォロア２０２と共に第一押さえユニット２００ａがスライドする。
【００１１】
第一歯ユニット２０７は、第一板２０３の両端に配置される前第一歯２０４ａと、後第一歯２０４ｂとからなる。前後第一歯２０４ａ、２０４ｂは、それぞれ二枚の三角形状の歯片２０４が逆向きで隣接して、溝２０４ｃを形成し、第一板２０３の両端部に位置してなり、第一軸２０６の中心軸を貫通するボルトをネジ穴２０１ｂに螺合させて、第一基台２０１及び第一板２０３に固定される。
【００１２】
穴２０１ｂは、第一歯ユニット２０７を第一基台２０１及び第一板２０３に固定、ネジ留めするためのネジ穴である。
【００１３】
第二押さえユニット２００ｂは、第一押さえユニット２００ａを上下反転させたものであるので、第一押さえユニット２００ａから十分理解できるのでその説明を省略する。なお、第一基台２０１の第一カムフォロア２０２と第二基台２０１ａの第二カムフォロア２０２ａはそれぞれの渦巻き型のカムに接続する。第一歯ユニット２０７の前後第一歯２０４ａ、２０４ｂと、第二歯ユニット２０７ａの前後第二歯２０５ａ、２０５ｂが噛合する。溝２０４ｃ、２０５ｃに被覆ケーブルが位置し、挟持される。
【００１４】
しかしながら、ケーブル保持部５１を用いた場合、歯片２０４、２０５を採用するためケーブル保持部５１、内部構造が複雑になるため、細く、曲がり、撚れた被覆ケーブル６０ａを、溝２０４ｃ、２０５ｃに位置させること、被覆剥離位置まで被覆ケーブルをまっすぐスムーズに進ませることは極めて困難である。
【００１５】
曲がった被覆ケーブル６０ａは、第一、第二歯２０４，２０５の側壁に先端がぶつかるため、作業者は、被覆ケーブルをまっすぐに整形したり、何度も被覆ケーブル６０ａを挿抜したりして、溝２０５ｃに位置させている。ケーブル保持部５１を用いた場合の被覆ケーブル６０ａの挿入、位置決めの問題は作業者にストレスを与えており、被覆剥離作業は特許文献１の装置で容易になったものの、その前段工程の煩雑さはこれまで解決できない課題であった。
【先行技術文献】
【特許文献】
【００１６】
【特許文献１】特開２０１４−１２４０５１号公報
【発明の概要】
【発明が解決しようとする課題】
【００１７】
そこで、本願出願は、被覆ケーブルの被覆剥離装置のケーブル保持部に取り付けて用いられ、被覆ケーブルを被覆剥離場所まで挿通、位置させる際に、そのケーブル保持部内において被覆ケーブルのスムーズな通過を可能にする被覆ケーブル用折り畳式ガイドを提供することを目的とする。
【課題を解決するための手段】
【００１８】
本発明は、上記の課題を解決するために、
（１）
被覆ケーブルの被覆剥離箇所に連通した挿入穴を備える被覆ケーブルの被覆剥離装置の前記被覆剥離箇所と挿入穴との間に固定される被覆ケーブルの押さえであり、接近、遠ざかるスライド運動する第一、第二板と、前記第一、第二板の対向面のそれぞれ前後に配置され、接近することで被覆ケーブルを挟持する溝を備える前後一組の前後第一歯及びそれらに挿通する第一軸よりなる第一歯ユニット及び溝を備える前後一組の前後第二歯及びそれらに挿通する第二軸よりなる第二歯ユニットとからなり、前後一組の前記第一、第二歯ユニットをそれぞれ前記第一基台及び第一板、第二基台及び第二板に固定してなるケーブル保持部に組み込まれ、被覆ケーブルを前記被覆剥離場所まで挿通、位置させる際、前記ケーブル保持部内において被覆ケーブルのスムーズな通過を可能にする被覆ケーブルのガイドであって、
前記第一軸を通す穴を有し、前記前後第一歯間に位置する左右第一板と、
前記第二軸を通す穴を有し、前記前後第二歯間に位置する左右第二板と、
前記左第一板の他端部と前記左第二板の他端部に回動可能に連設する左側壁と、
前記右第一板の他端部と前記右第二板の他端部に回動可能に連設する右側壁と、
からなり、
前記第一、第二板のスライドに追随して変形するとともに、前記ケーブル保持部が最大開口時に前記前後第一歯及び前後第二歯の前後間の段差を埋め、被覆ケーブルが前記後第一、第二歯の側面にぶつからないようにすることを特徴とする被覆ケーブル用折り畳式ガイド。
（２）
前記左第一板の他端部と前記左第二板の他端部に、前記左側壁が回動可能に連設する手段、及び、
前記右第一板の他端部と前記右第二板の他端部に、前記右側壁が回動可能に連設する手段が、
第三軸が、左第一、第二板の穴及び左側壁の上下の穴に、また右第一、第二板の穴及び右側壁の上下の穴に挿通する連設であることを特徴とする（１）に記載の被覆ケーブル用折り畳式ガイド。
（３）
前記左右第一板及び左右第二板が同じ形状であり、前記左右側壁が同じ形状であることを特徴とする（１）に記載の被覆ケーブル用折り畳式ガイド。
（４）
前記第一、第二歯ユニットが、最接近して噛合したときの高さ（Ｈｕ）と、前記左右側壁の高さが略同じ高さ（Ｈｗ）であることを特徴とする（１）に記載の被覆ケーブル用折り畳式ガイド。
の構成とした。
【発明の効果】
【００１９】
本発明は、上記構成であるので、以下の効果を発揮する。即ち、被覆ケーブルの被覆剥離装置のケーブル保持部に取り付けて用いられ、被覆ケーブルを被覆剥離場所まで挿通、位置させる際に、そのケーブル保持部内において被覆ケーブルのスムーズな通過を可能にする。その結果、作業者は、ケーブル保持部内での被覆ケーブルの衝突、引っかかりによる、被覆ケーブルの位置決めストレスから解放され、剥離作業の効率が向上する。
【図面の簡単な説明】
【００２０】
【図１】本発明の被覆ケーブル用折り畳式ガイドが利用される、被覆ケーブルの被覆剥離装置１の外観斜視図である。挿入穴１ｃに被覆ケーブルを挿入し、箱体１ａ内部の回転刃によって被覆が切断され、切断された被覆は、芯材から直動する刃で引き抜かれる。なお、図１は、特許文献１の図１であり、ここで説明しない符号は、本発明との関連性が低いため説明を省略した。必要なときは特許文献１を参照されたい。以下、特許文献１に関する資料についても同様である。
【図２】被覆ケーブルの被覆剥離装置の内部平面模式図であり、特許文献１の図２である。なお、図２の下側が図１の挿入穴１ｃが位置する方向（正面）である。
【図３】被覆ケーブル６０の被覆６０ｂを回転する刃２６で切断する箇所（被覆剥離場所）の被覆ケーブルの被覆剥離装置１の縦部分断面模式図であり、特許文献１の図１７である。
【図４】被覆ケーブルの被覆剥離装置に用いられる、被覆剥離時に被覆ケーブルを挟み、位置固定する、従来のケーブル保持部５１の斜視写真である。第一、第二歯ユニット２０７、２０７ａは、上下に移動して、被覆ケーブル６０ａの挟持と、解放を行う。
【図５】本発明である被覆ケーブル用折り畳式ガイド１００を従来のケーブル保持部５１に組み込んだときの模式図である。図５のケーブル保持部５１は図３のケーブル保持部５１と同じであり、より詳細に表したものである。
【図６】（Ａ）は第一、第二歯ユニット２０７、２０７ａに、本発明の被覆ケーブル用折り畳式ガイド１００を組み込んだときの斜視図、（Ｂ）は（Ａ）の状態で、第一、第二歯ユニットを分解、分離した本発明の斜視図である。第一、第二歯ユニットが最大開口したときの様子を表している。
【図７】図６の状態から、第一、第二歯ユニット２０７、２０７ａが、第一、第二板２０３、２０３ａのスライドに伴って、接近を始めたときの様子である。（Ａ）、（Ｂ）の状態は図６に準じる。第一、第二歯ユニット２０７、２０７ａが接近すると、それに追随して、本発明の被覆ケーブル用折り畳式ガイド１００は、扁平に左右にふくれて、折り畳まれていく。
【図８】図７からさらに第一、第二歯ユニット２０７、２０７ａが接近し、噛合したときの様子を表している。（Ａ）、（Ｂ）の状態は図６に準じる。
【図９】本発明を構成する板材１０９の斜視図である。
【図１０】本発明を構成する壁材１１０の斜視図である。
【図１１】図１１（Ａ）は図６（Ｂ）列中段の拡大図である。図１１（Ｂ）は（Ａ）から第三軸１０７を除き、分解したときの各部材の斜視図である。左右第一板１０１，１０２と左右第二板１０３，１０４は、それぞれ同一形状である（図９の板材１０９である）。また、左右側壁１０５，１０６も同一形状である（図１０の壁材１１０である）。
【図１２】本発明の試作品の写真であり、ケーブル保持部５１の第一、第二歯ユニット２０７，２０７ａに組み込まれている。
【図１３】図１２同様の状況で、第一、第二歯ユニット２０７，２０７ａが最大開口時に、被覆ケーブル用折り畳式ガイド１００の内部に細い被覆ケーブル６０ａが挿入されたときを想定した写真である。第二歯片２０５の端部２０８と面１０９ａとで段差の小さい平坦面２０９を形成し、被覆ケーブル６０ａが当たる壁、段差を減らし、ケーブル保持部内における被覆ケーブル６０ａのスムーズな通過を可能にしている。
【発明を実施するための形態】
【００２１】
以下、添付の図面を参照し、本発明の実施の形態について、詳細に説明する。なお、本発明は下記実施例に限定されるものではない。
【実施例１】
【００２２】
本発明である被覆ケーブル用折り畳式ガイド１００は、図６−図１３（ここでは、特に、図１１参照）に示すように、左右第一板１０１と、１０２、左右第二板１０３、１０４と、それらに回動可能に連結する左右側壁１０５、１０６と、左右側壁１０５、１０６との連結に用いられる４本の第三軸１０７と、第三軸１０７の抜け止めのＥ形リング１０８とからなり、
被覆ケーブルの被覆剥離装置１における被覆ケーブルのケーブル保持部５１の第一歯ユニット２０７の第一軸２０６と第二歯ユニット２０７ａの第二軸２０６ａに組み込まれ、
被覆ケーブルを被覆剥離場所まで挿通、位置させる際に、前記ケーブル保持部５１内において前記被覆ケーブルのスムーズな通過を可能にする。
【００２３】
左右第一板１０１、１０２及び左右第二板１０３、１０４は、図１１に示す通り、同じ形状であり、図９に示す板材１０９の形状をしている。左右側壁１０５、１０６同士も同じ形状で、図１０に示す壁材１１０の形状をしている。したがって、図９、１０を参照して、それらの詳細構造を説明する。
【００２４】
板材１０９は、面１０９ａと、面１０９ａの左右に、被覆ケーブル用折り畳式ガイド１００が形成する輪の外に向かって起立する第一壁部１０９ｂ及び第二壁部１０９ｇとからなる。
【００２５】
第一壁部１０９ｂは、その一端に面１０９ａの幅より突出し、穴１０９ｄが穿設された突出部１０９ｃと、その他端に面１０９ａの幅より突出し、穴１０９ｆが穿設された輪１０９ｅを備える。
【００２６】
第二壁部１０９ｇは、第一壁部１０９ｂと同一の形状であり、同様に、その一端に面１０９ａの幅より突出し、穴１０９ｉが穿設された突出部１０９ｈと、その他端に面１０９ａの幅より突出し、穴１０９ｍが穿設された輪１０９ｋを備える。
【００２７】
穴１０９ｄ、１０９ｉには、突出部１０９ｃ、１０９ｈ同士が対向して重なり、左右第一板１０１、１０２であれば第一軸２０６が挿通し、左右第二板１０３、１０４であれば第二軸２０６ａが挿通する。それにより、被覆ケーブル用折り畳式ガイド１００が、ケーブル保持部５１に組み込まれ、第一、第二板２０３、２０３ａのスライドに、変形して追随する。
【００２８】
穴１０９ｆ、１０９ｍには、後述の左右側壁１０５、１０６の輪１１０ｃの穴１１０ｄとともに、第三軸１０７が挿通する。それにより、板材１０９と壁材１１０が回動可能に連設する。
【００２９】
壁材１１０は、面１１０ａと、面１１０ａの四隅に、穴１１０ｄが穿設され、被覆ケーブル用折り畳式ガイド１００が形成する輪の外に向かって起立する４つ輪１１０ｃからなる。なお、対角に対向する２つの輪１１０ｃは、面１１０ａの一部が切り欠き１１０ｂになっている箇所から起立する。
【００３０】
穴１１０ｄには、前述するように、第三軸が挿通する。切り欠き１１０ｂの在り無しで、壁材１１０と板材１０９との位置をズラし、同一形状の板材１０９と壁材１１０を用いて、図１１に示す被覆ケーブル用折り畳式ガイド１００の環状構造を形成することができる。これにより、製品化に際して本製品の部品点数を減らすことができ、極めて効率的な製造が可能になる。
【００３１】
第三軸１０７は、図１１（Ａ）に示すように、左第一板１０１の穴１０９ｆ、１０９ｍと、切り欠き１１０ｂを左上に位置させた状態で、左側壁１０５の上側の穴１１０ｄ、１１０ｄの重なりに、また左第二板１０３の穴１０９ｆ、１０９ｍと、左側壁１０５の下側の穴１１０ｄ、１１０ｄの重なりに、それぞれ挿通する。それにより左第一板１０１と左側壁１０５と左第二板１０３とが回動可能に連設する。
【００３２】
同様に、右第一板１０２の穴１０９ｆ、１０９ｍと、切り欠き１１０ｂを左下に位置させた状態で、右側壁１０６の上側の穴１１０ｄ、１１０ｄの重なりに、また右第二板１０４の穴１０９ｆ、１０９ｍと、右側壁１０６の下側の穴１１０ｄ、１１０ｄの重なりに、それぞれ挿通する。それにより右第一板１０２と右側壁１０６と右第二板１０４とが回動可能に連設する。
【００３３】
Ｅ形リングは、第三軸１０７のスリットに嵌り、第３軸を留める。このようにしてなる、被覆ケーブル用折り畳式ガイド１００は、ケーブル保持部５１に取り込まれ、図６−図８のように、第一、第二板２０３、２０３ａのスライドに追随して、被覆ケーブル用折り畳式ガイド１００が変形する。
【００３４】
そして、図６、図１１、図１３に示すように、
被覆ケーブル用折り畳式ガイド１００は、
第一軸２０６を通す穴１０９ｄ、１０９ｉを有し、前後第一歯２０４ａ、２０４ｂ間に位置し、前後第一歯２０４ａ、２０４ｂの端部２０８と略同一高さの平坦面２０９を形成する左右第一板と１０１、１０２、第二軸２０６ａを通す穴１０９ｄ、１０９ｉを有し、前後第二歯２０５ａ、２０５ｂ間に位置し、前後第二歯２０５ａ、２０５ｂの端部２０８と略同一高さの平坦面２０９を形成する左右第二板１０３、１０４と、
左第一板１０１の他端部と左第二板１０３の他端部に回動可能に連設する左側壁１０５と、
右第一板１０２の他端部と右第二板１０４の他端部に回動可能に連設する右側壁１０６と、
からなり、
第一、第二板２０３、２０３ａのスライドに追随して変形するとともに、ケーブル保持部５１が最大開口時（図６）に前後第一歯２０４ａ、２０４ｂ及び前後第二歯２０５ａ、２０５ｂの前後間の段差２０７ｂを埋め、被覆ケーブル６０ａが後第一、第二歯の側面２０４ｄ、２０５ｄにぶつからないようにして、被覆ケーブル６０ａのケーブル保持部５１内の通過を妨げない。
【００３５】
そして、図８に示すように、被覆ケーブル用折り畳式ガイド１００の第一、第二歯ユニット２０７、２０７ａが、最接近して噛合したときの高さ（Ｈｕ）と、左右側壁１０５、１０６の高さが略同じ高さ（Ｈｗ）とするとよい。同じ高さであると、ケーブル保持部５１の最大開口時に段差２０７ｂを埋めるとともに、内部空間が正六角形の内部空間を形成し、均等の取れた穴とすることができる
【符号の説明】
【００３６】
１        被覆ケーブルの被覆剥離装置
５１      ケーブル保持部
６０      被覆ケーブル
６０ａ    被覆ケーブル
１００    被覆ケーブル用折り畳式ガイド
１０１    左第一板
１０２    右第一板
１０３    左第二板
１０４    右第二板
１０５    左側壁
１０６    右側壁
１０７    第三軸
１０８    Ｅ形リング
１０９    板材
１０９ａ  面
１０９ｂ  第一壁部
１０９ｃ  突出部
１０９ｄ  穴
１０９ｅ  輪
１０９ｆ  穴
１０９ｇ  第二壁部
１０９ｈ  突出部
１０９ｋ  輪
１０９ｍ  穴
１１０    壁材
１１０ａ  面
１１０ｂ  切り欠き
１１０ｃ  輪
１１０ｄ  穴
２００ａ  第一押さえユニット
２００ｂ  第二押さえユニット
２０１    第一基台
２０１ａ  第二基台
２０１ｂ  穴
２０２    第一カムフォロア
２０２ａ  第二カムフォロア
２０３    第一板
２０３ａ  第二板
２０４    歯片
２０４ａ  前第一歯
２０４ｂ  後第一歯
２０４ｃ  溝
２０４ｄ  側面
２０５    歯片
２０５ａ  前第二歯
２０５ｂ  後第二歯
２０５ｃ  溝
２０５ｄ  側面
２０６    第一軸
２０６ａ  第二軸
２０７    第一歯ユニット
２０７ａ  第二歯ユニット
２０７ｂ  段差
２０８    端部
２０９    平坦面
【図１】
2019037038.tif 000003
【図２】
2019037038.tif 000004
【図３】
2019037038.tif 000005
【図４】
2019037038.tif 000006
【図５】
2019037038.tif 000007
【図６】
2019037038.tif 000008
【図７】
2019037038.tif 000009
【図８】
2019037038.tif 000010
【図９】
2019037038.tif 000011
【図１０】
2019037038.tif 000012
【図１１】
2019037038.tif 000013
【図１２】
2019037038.tif 000014
【図１３】
2019037038.tif 000015
【手続補正書】
【提出日】平成29年10月23日(2017.10.23)
【手続補正１】
【補正対象書類名】特許請求の範囲
【補正対象項目名】全文
【補正方法】変更
【補正の内容】
【特許請求の範囲】
【請求項１】
被覆ケーブルの被覆剥離場所に連通した挿入穴を備える被覆ケーブルの被覆剥離装置の前記被覆剥離場所と挿入穴との間に固定される被覆ケーブルの押さえであり、接近又は遠ざかるスライド運動する第一、第二板と、前記第一、第二板の対向面のそれぞれ前後に配置され、接近することで被覆ケーブルを挟持する溝を備える前後一組の前第一歯及び後第一歯とそれらに挿通する第一軸よりなる第一歯ユニット並びに溝を備える前後一組の前第二歯及び後第二歯とそれらに挿通する第二軸よりなる第二歯ユニットとからなり、前後一組の前記第一、第二歯ユニットをそれぞれ前記第一、第二板に固定してなるケーブル保持部に組み込まれ、被覆ケーブルを前記被覆剥離場所まで挿通、位置させる際、前記ケーブル保持部内において被覆ケーブルのスムーズな通過を可能にする被覆ケーブルのガイドであって、
前記第一軸を通す穴を有し、前記前第一歯及び前記後第一歯間に対向して位置する左第一板及び右第一板と、
前記第二軸を通す穴を有し、前記前第二歯及び前記後第二歯間に対向して位置する左第二板及び右第二板と、
前記左第一板における前記第一軸を通す穴とは反対側の部分と前記左第二板における前記第二軸を通す穴とは反対側の部分とに回動可能に連設する左側壁と、
前記右第一板における前記第一軸を通す穴とは反対側の部分と前記右第二板における前記第二軸を通す穴とは反対側の部分とに回動可能に連設する右側壁と、
からなり、
前記第一、第二板のスライドに追随して変形するとともに、前記ケーブル保持部が最大開口時に前記前第一歯と前記後第一歯及び前記前第二歯と前記後第二歯の前後間の段差を埋め、被覆ケーブルが前記後第一歯と前記後第二歯の側面にぶつからないようにすることを特徴とする被覆ケーブル用折り畳式ガイド。
【請求項２】
前記左第一板における前記第一軸を通す穴とは反対側の部分と前記左第二板における前記第二軸を通す穴とは反対側の部分とに、前記左側壁が回動可能に連設する手段、及び、
前記右第一板における前記第一軸を通す穴とは反対側の部分と前記右第二板における前記第二軸を通す穴とは反対側の部分とに、前記右側壁が回動可能に連設する手段が、
第三軸が、前記左第一板の穴と前記第二板の穴及び前記左側壁の上下の穴にそれぞれ挿通し、また前記右第一板の穴と前記第二板の穴及び前記右側壁の上下の穴にそれぞれ挿通する連設する手段であることを特徴とする請求項１に記載の被覆ケーブル用折り畳式ガイド。
【請求項３】
前記左第一板及び前記右第一板並びに前記左第二板及び前記右第二板が全て同じ形状であり、前記左側壁と前記右側壁とが同じ形状であることを特徴とする請求項１に記載の被覆ケーブル用折り畳式ガイド。
【請求項４】
前記第一、第二歯ユニットが、最接近して噛合したときの高さ（Ｈｕ）と、前記左側壁と前記右側壁の高さが略同じ高さ（Ｈｗ）であることを特徴とする請求項１に記載の被覆ケーブル用折り畳式ガイド。
【手続補正２】
【補正対象書類名】明細書
【補正対象項目名】０００９
【補正方法】変更
【補正の内容】
【０００９】
より詳しくは、被覆ケーブル６０ａの被覆剥離場所に連通した挿入穴（１ｃ等）を備える被覆ケーブルの被覆剥離装置（１等）の被覆剥離場所と挿入穴（１ｃ等）との間に固定され、被覆ケーブル６０ａを押さえるケーブル保持部５１であって、接近、遠ざかるスライド運動する第一、第二板２０３、２０３ａと、
第一、第二板２０３、２０３ａの対向面のそれぞれ前後に配置され、接近することで被覆ケーブル６０ａを挟持する、
溝２０４ｃを備える前後一組の前後第一歯２０４ａ、２０４ｂ及びそれらに挿通する第一軸２０６（ロールピン）よりなる第一歯ユニット２０７及び
溝２０５ｃを備える前後一組の前後第二歯２０５ａ、２０５ｂ及びそれらに挿通する第二軸２０６ａ（ロールピン）よりなる第二歯ユニット２０７ａとからなり、
前後一組の第一、第二歯ユニット２０７、２０７ａをそれぞれ第一基台２０１及び第一板２０３、第二基台２０１ａ及び第二板２０３ａに固定してなるその固定は、ロールピンである第一軸２０６、第二軸２０６ａを第一基台２０１と第一板２０３に嵌め、さらに前記ロールピンと穴２０１ｂを同軸とした穴にボルト（図示省略）を螺合して固定する。
【手続補正３】
【補正対象書類名】明細書
【補正対象項目名】００１８
【補正方法】変更
【補正の内容】
【００１８】
（１）
被覆ケーブルの被覆剥離場所に連通した挿入穴を備える被覆ケーブルの被覆剥離装置の前記被覆剥離場所と挿入穴との間に固定される被覆ケーブルの押さえであり、接近又は遠ざかるスライド運動する第一、第二板と、前記第一、第二板の対向面のそれぞれ前後に配置され、接近することで被覆ケーブルを挟持する溝を備える前後一組の前第一歯及び後第一歯とそれらに挿通する第一軸よりなる第一歯ユニット並びに溝を備える前後一組の前第二歯及び後第二歯とそれらに挿通する第二軸よりなる第二歯ユニットとからなり、前後一組の前記第一、第二歯ユニットをそれぞれ前記第一、第二板に固定してなるケーブル保持部に組み込まれ、被覆ケーブルを前記被覆剥離場所まで挿通、位置させる際、前記ケーブル保持部内において被覆ケーブルのスムーズな通過を可能にする被覆ケーブルのガイドであって、
前記第一軸を通す穴を有し、前記前第一歯及び前記後第一歯間に対向して位置する左第一板及び右第一板と、
前記第二軸を通す穴を有し、前記前第二歯及び前記後第二歯間に対向して位置する左第二板及び右第二板と、
前記左第一板における前記第一軸を通す穴とは反対側の部分と前記左第二板における前記第二軸を通す穴とは反対側の部分とに回動可能に連設する左側壁と、
前記右第一板における前記第一軸を通す穴とは反対側の部分と前記右第二板における前記第二軸を通す穴とは反対側の部分とに回動可能に連設する右側壁と、
からなり、
前記第一、第二板のスライドに追随して変形するとともに、前記ケーブル保持部が最大開口時に前記前第一歯と前記後第一歯及び前記前第二歯と前記後第二歯の前後間の段差を埋め、被覆ケーブルが前記後第一歯と前記後第二歯の側面にぶつからないようにすることを特徴とする被覆ケーブル用折り畳式ガイド。
（２）
前記左第一板における前記第一軸を通す穴とは反対側の部分と前記左第二板における前記第二軸を通す穴とは反対側の部分とに、前記左側壁が回動可能に連設する手段、及び、
前記右第一板における前記第一軸を通す穴とは反対側の部分と前記右第二板における前記第二軸を通す穴とは反対側の部分とに、前記右側壁が回動可能に連設する手段が、
第三軸が、前記左第一板の穴と前記第二板の穴及び前記左側壁の上下の穴にそれぞれ挿通し、また前記右第一板の穴と前記第二板の穴及び前記右側壁の上下の穴にそれぞれ挿通する連設する手段であることを特徴とする（１）に記載の被覆ケーブル用折り畳式ガイド。
（３）
前記左第一板及び前記右第一板並びに前記左第二板及び前記右第二板が全て同じ形状であり、前記左側壁と前記右側壁とが同じ形状であることを特徴とする（１）に記載の被覆ケーブル用折り畳式ガイド。
（４）
前記第一、第二歯ユニットが、最接近して噛合したときの高さ（Ｈｕ）と、前記左側壁と前記右側壁の高さが略同じ高さ（Ｈｗ）であることを特徴とする（１）に記載の被覆ケーブル用折り畳式ガイド。
の構成とした。
【手続補正書】
【提出日】平成29年12月7日(2017.12.7)
【手続補正１】
【補正対象書類名】特許請求の範囲
【補正対象項目名】全文
【補正方法】変更
【補正の内容】
【特許請求の範囲】
【請求項１】
被覆ケーブルの被覆剥離場所に連通した挿入穴を備える被覆ケーブルの被覆剥離装置の前記被覆剥離場所と挿入穴との間に固定される被覆ケーブルの押さえであり、接近又は遠ざかるスライド運動する第一、第二板と、前記第一、第二板の対向面のそれぞれ前後に配置され、接近することで被覆ケーブルを挟持する溝を備える前後一組の前第一歯及び後第一歯とそれらに挿通する第一軸よりなる第一歯ユニット並びに溝を備える前後一組の前第二歯及び後第二歯とそれらに挿通する第二軸よりなる第二歯ユニットとからなり、前後一組の前記第一、第二歯ユニットをそれぞれ前記第一、第二板に固定してなるケーブル保持部に組み込まれ、被覆ケーブルを前記被覆剥離場所まで挿通、位置させる際、前記ケーブル保持部内において被覆ケーブルのスムーズな通過を可能にする被覆ケーブルのガイドであって、
前記第一軸を通す穴を有し、前記前第一歯及び前記後第一歯間に対向して位置する左第一板及び右第一板と、
前記第二軸を通す穴を有し、前記前第二歯及び前記後第二歯間に対向して位置する左第二板及び右第二板と、
前記左第一板における前記第一軸を通す穴とは反対側の部分と前記左第二板における前記第二軸を通す穴とは反対側の部分とに回動可能に連設する左側壁と、
前記右第一板における前記第一軸を通す穴とは反対側の部分と前記右第二板における前記第二軸を通す穴とは反対側の部分とに回動可能に連設する右側壁と、
からなり、
前記第一、第二板のスライドに追随して変形するとともに、前記ケーブル保持部が最大開口時に前記前第一歯と前記後第一歯及び前記前第二歯と前記後第二歯の前後間の段差を埋め、被覆ケーブルが前記後第一歯と前記後第二歯の側面にぶつからないようにすることを特徴とする被覆ケーブル用折り畳式ガイド。
【請求項２】
前記左第一板における前記第一軸を通す穴とは反対側の部分と前記左第二板における前記第二軸を通す穴とは反対側の部分とに、前記左側壁が回動可能に連設する手段、及び、
前記右第一板における前記第一軸を通す穴とは反対側の部分と前記右第二板における前記第二軸を通す穴とは反対側の部分とに、前記右側壁が回動可能に連設する手段を有し、
それらは、前記左第一板の穴と前記左第二板の穴及び前記左側壁の上下の穴にそれぞれ挿通し、また前記右第一板の穴と前記右第二板の穴及び前記右側壁の上下の穴にそれぞれ挿通する連設する手段であることを特徴とする請求項１に記載の被覆ケーブル用折り畳式ガイド。
【請求項３】
前記左第一板及び前記右第一板並びに前記左第二板及び前記右第二板が全て同じ形状であり、前記左側壁と前記右側壁とが同じ形状であることを特徴とする請求項１に記載の被覆ケーブル用折り畳式ガイド。
【請求項４】
前記第一、第二歯ユニットが、最接近して噛合したときの高さ（Ｈｕ）と、前記左側壁と前記右側壁の高さが略同じ高さ（Ｈｗ）であることを特徴とする請求項１に記載の被覆ケーブル用折り畳式ガイド。
【手続補正２】
【補正対象書類名】明細書
【補正対象項目名】００１８
【補正方法】変更
【補正の内容】
【００１８】
（１）
被覆ケーブルの被覆剥離場所に連通した挿入穴を備える被覆ケーブルの被覆剥離装置の前記被覆剥離場所と挿入穴との間に固定される被覆ケーブルの押さえであり、接近又は遠ざかるスライド運動する第一、第二板と、前記第一、第二板の対向面のそれぞれ前後に配置され、接近することで被覆ケーブルを挟持する溝を備える前後一組の前第一歯及び後第一歯とそれらに挿通する第一軸よりなる第一歯ユニット並びに溝を備える前後一組の前第二歯及び後第二歯とそれらに挿通する第二軸よりなる第二歯ユニットとからなり、前後一組の前記第一、第二歯ユニットをそれぞれ前記第一、第二板に固定してなるケーブル保持部に組み込まれ、被覆ケーブルを前記被覆剥離場所まで挿通、位置させる際、前記ケーブル保持部内において被覆ケーブルのスムーズな通過を可能にする被覆ケーブルのガイドであって、
前記第一軸を通す穴を有し、前記前第一歯及び前記後第一歯間に対向して位置する左第一板及び右第一板と、
前記第二軸を通す穴を有し、前記前第二歯及び前記後第二歯間に対向して位置する左第二板及び右第二板と、
前記左第一板における前記第一軸を通す穴とは反対側の部分と前記左第二板における前記第二軸を通す穴とは反対側の部分とに回動可能に連設する左側壁と、
前記右第一板における前記第一軸を通す穴とは反対側の部分と前記右第二板における前記第二軸を通す穴とは反対側の部分とに回動可能に連設する右側壁と、
からなり、
前記第一、第二板のスライドに追随して変形するとともに、前記ケーブル保持部が最大開口時に前記前第一歯と前記後第一歯及び前記前第二歯と前記後第二歯の前後間の段差を埋め、被覆ケーブルが前記後第一歯と前記後第二歯の側面にぶつからないようにすることを特徴とする被覆ケーブル用折り畳式ガイド。
（２）
前記左第一板における前記第一軸を通す穴とは反対側の部分と前記左第二板における前記第二軸を通す穴とは反対側の部分とに、前記左側壁が回動可能に連設する手段、及び、
前記右第一板における前記第一軸を通す穴とは反対側の部分と前記右第二板における前記第二軸を通す穴とは反対側の部分とに、前記右側壁が回動可能に連設する手段を有し、
それらは、前記左第一板の穴と前記左第二板の穴及び前記左側壁の上下の穴にそれぞれ挿通し、また前記右第一板の穴と前記右第二板の穴及び前記右側壁の上下の穴にそれぞれ挿通する連設する手段であることを特徴とする（１）に記載の被覆ケーブル用折り畳式ガイド。
（３）
前記左第一板及び前記右第一板並びに前記左第二板及び前記右第二板が全て同じ形状であり、前記左側壁と前記右側壁とが同じ形状であることを特徴とする（１）に記載の被覆ケーブル用折り畳式ガイド。
（４）
前記第一、第二歯ユニットが、最接近して噛合したときの高さ（Ｈｕ）と、前記左側壁と前記右側壁の高さが略同じ高さ（Ｈｗ）であることを特徴とする（１）に記載の被覆ケーブル用折り畳式ガイド。
の構成とした。